(57)【要約】【課題】プリント配線基板と多芯ケーブルの接続状態の良否が発光ダイオードの点灯，非点灯によって目視確認できるような接続状況確認回路を提供することにある。【解決手段】多芯ケーブル内の外側に配置されている外側芯線のうち中心を挟んで対向する位置にある２本の芯線が信号線対として用いられ、２枚のプリント配線基板のうちの一方に配置されたコネクタ用レセプタクルは、信号線対と接続されることになる１対の端子間に短絡線が接続されており、他方に配置されたコネクタ用レセプタクルには、信号線対と接続されることになる１対の端子間に発光ダイオードが接続され、それぞれのコネクタが結合された時に、所定の結合状態では、多芯ケーブルの信号線対と短絡により形成される発光ダイオードのバイパス回路に迂回電流が流されて発光ダイオードが消灯された正常表示状態となることにより上記課題を解決したのである。【選択図】  図１
2005050698.tif 000002
【特許請求の範囲】
【請求項１】
それぞれに１個のコネクタ用レセプタクルが配置された２枚のプリント配線基板と、
両端のおのおのに前記コネクタ用レセプタクルと結合するコネクタ用プラグが接続された多芯ケーブルとを備え、
該多芯ケーブル内の外側に配置されている外側芯線のうち中心を挟んで対向する位置にある２本の芯線が信号線対として用いられ、
前記２枚のプリント配線基板のうちの一方に配置された前記コネクタ用レセプタクルでは、前記信号線対と接続されることになる１対の端子間に短絡線が接続されており、
前記２枚のプリント配線基板のうちの他方に配置された前記コネクタ用レセプタクルには、前記信号線対と接続されることになる１対の端子間に発光ダイオードが接続され、該発光ダイオードには、抵抗器を介して該発光ダイオードを発光させるための直流電源が接続されており、
前記それぞれのコネクタ用プラグと前記それぞれのコネクタ用レセプタクルが結合された時に、所定の結合状態では、多芯ケーブルの前記信号線対と前記短絡により形成される前記発光ダイオードのバイパス回路に迂回電流が流されて前記発光ダイオードが消灯された正常表示状態となり、他方、所定の結合状態ではない状態では前記バイパス回路が形成されずに、前記発光ダイオードが点灯された不正常表示状態となるように構成された接続状況確認回路。
【発明の詳細な説明】
【技術分野】
【０００１】
本発明は、電線接続器の不正確な接続を防ぐ装置に関し、特に、プリント配線基板間の接続において、コネクタ付き多芯ケーブルのコネクタが所定の結合状態で接続されたことを的確に効率よく確認するための接続状況確認回路に関する。
【背景技術】
【０００２】
従来の接続状況確認回路は、発光ダイオード，駆動回路などの表示回路がプリント配線基板上に配置されている。（例えば、特許文献１参照。）。
【特許文献１】実開平５−６７３５号公報（第2頁、図１）
【０００３】
従来の例である接続状況確認回路を図２に示す。図２において、プリント配線基板１０２上に、直流電源Ｖｃｃで駆動される駆動回路１１５と発光ダイオード１１６の回路がプリント配線基板のパターンによって配線されている。コネクタ用レセプタクル１０３、１０４とコネクタ用プラグ１０５、１０６付き多芯ケーブル１０７が所定の結合状態で接続されている場合、コネクタ用レセプタクル１０４の一方の外側端子１０４Ｂをプリント配線基板１０２のＧＮＤ回路に接続したことにより発生する論理値“０”の信号は、プリント配線基板１０２から多芯ケーブル１０７内の一方の外側端の信号線１０８を通ってプリント配線基板１０１に至り、同プリント配線基板１０１上に有する短絡用配線パターン１１４を経て、多芯ケーブル１０７内の他方の外側端の信号線１０９を通ってプリント配線基板１０２に戻り、接地電位ルートが形成され駆動回路１１５の入力側に論理値“０”の信号が入力される。この信号は、駆動回路１１５によって反転され、論理値“１”の信号が発光ダイオード１１６に入力し発光（点灯）させる。もし、結合されたコネクタのいずれかに接触不良、あるいは多芯ケーブル１０７が接続されていない場合、即ち、所定の結合状態で接続されなかった場合には、駆動回路１１５の入力はプリント配線基板１０２の接地状態からＶｃｃ電位状態になり接地電位ルートが形成されないため、入力の論理値は“１”となるので駆動回路の出力論理値は“０”となり、発光ダイオード１１６は消灯する。従って、発光ダイオード１１６が点灯（所定の結合状態での接続状態）しているか、消灯（所定の結合状態ではない接続状態）しているかにより多芯ケーブルのコネクタ接続状態の良否を目視確認することができるものである。
【発明の開示】
【発明が解決しようとする課題】
【０００４】
従来は、発光ダイオード及び発光ダイオード駆動回路である駆動回路ＩＣなどの表示用能動回路がプリント配線基板上に配置されてパターン配線化したものであった。これら発光ダイオードや駆動回路はプリント配線基板上の配置によるプリント配線基板占有面積の問題があった。
【０００５】
本発明の目的は、上記問題を解決して、プリント配線基板と多芯ケーブルの接続状態の良否を発光ダイオードの点灯，非点灯によって目視確認できる接続状況確認回路を提供することにある。
【課題を解決するための手段】
【０００６】
本発明の接続状況確認回路は、それぞれに１個のコネクタ用レセプタクルが配置された２枚のプリント配線基板と、両端のおのおのに前記コネクタ用レセプタクルと結合するコネクタ用プラグが接続された多芯ケーブルとを備え、該多芯ケーブル内の外側に配置されている外側芯線のうち中心を挟んで対向する位置にある２本の芯線が信号線対として用いられ、前記２枚のプリント配線基板のうちの一方に配置された前記コネクタ用レセプタクルでは、前記信号線対と接続されることになる１対の端子間に短絡線が接続されており、  前記２枚のプリント配線基板のうちの他方に配置された前記コネクタ用レセプタクルには、前記信号線対と接続されることになる１対の端子間に発光ダイオードが接続され、該発光ダイオードには、抵抗器を介して該発光ダイオードを発光させるための直流電源が接続されており、
前記それぞれのコネクタ用プラグと前記それぞれのコネクタ用レセプタクルが結合された時に、所定の結合状態では、多芯ケーブルの前記信号線対と前記短絡により形成される前記発光ダイオードのバイパス回路に迂回電流が流されて前記発光ダイオードが消灯された正常表示状態となり、他方、所定の結合状態ではない状態では前記バイパス回路が形成されずに、前記発光ダイオードが点灯された不正常表示状態となるように構成されていることにより上記課題を解決したのである。
【発明の効果】
【０００７】
請求項１記載の発明によれば、従来回路に有する駆動回路ＩＣなど発光ダイオード駆動用の能動素子部品及びその回路が不要となり、かつ、発光ダイオード及び短絡線をコネクタ用レセプタクルに組み込まれたので、それによって接続状況確認回路に要するプリント配線基板上のパターン配線が極力少なくなり、プリント配線基板への部品実装面積、配線占有面積を他の回路に振り向けることができ、更に、多芯ケーブル内の外側に配置されている外側芯線のうち中心を挟んで対向する位置にある２本の芯線が信号線対として用いられているので他の芯線と接続される端子の接続状態まで包むこととして確認されるため、コネクタ接続状態の目視確認の確実性と視認性が良くなるような効果がある。
【発明を実施するための最良の形態】
【０００８】
本発明の実施例は、接続状況確認回路の構成例として図１に示す。それぞれに１個のコネクタ用レセプタクル２０３，２０４が配置された２枚のプリント配線基板２０１，２０２と、両端のおのおのにコネクタ用レセプタクル２０３，２０４と結合するコネクタ用プラグ２０５，２０６が接続された多芯ケーブルとを備え、多芯ケーブル２０７内の外側に配置されている外側芯線のうち中心を挟んで対向する位置にある２本の芯線が信号線対２０８，２０９として用いられ、２枚のプリント配線基板２０１，２０２のうちの一方のプリント配線基板２０１に配置されたコネクタ用レセプタクル２０３では、信号線対２０８，２０９と接続されることになる１対の端子間２０３Ａ，２０４Ｂに短絡線２１７が接続されており、２枚のプリント配線基板２０１，２０２のうちの他方のプリント配線基板２０２に配置されたコネクタ用レセプタクル２０４には、信号線対２０８，２０９と接続されることになる１対の端子間２０４Ａ，２０４Ｂに発光ダイオード２１６が接続され、発光ダイオード２１６には、抵抗器Ｒを介して発光ダイオード２１６を発光させるための直流電源Ｖｃｃが接続されており、それぞれのコネクタ用プラグ２０５，２０６とそれぞれのコネクタ用レセプタクル２０３，２０４が結合された時に、所定の結合状態では、多芯ケーブル２０７の信号線対２０８，２０９と短絡により形成される発光ダイオード２１６のバイパス回路に迂回電流が流されて発光ダイオード２１６が消灯された正常表示状態となり、他方、所定の結合状態ではない状態ではバイパス回路が形成されずに、発光ダイオード２１６が点灯された不正常表示状態となるように構成されている。
【０００９】
図１において、発光ダイオード２１６は、コネクタ用レセプタクル２０４側面の目視されるような位置に配置され、同レセプタクル２０４の両外側の端子２０４Ａ，２０４Ｂ間に接続されている。さらに端子２０４ＡはＧＮＤに、端子２０４Ｂは抵抗器Ｒを経て直流電源Ｖｃｃにそれぞれプリント配線基板２０２上で接続されている。
一方、プリント配線基板２０１に取り付けられたコネクタ用レセプタクル２０３には短絡線２１７が同レセプタクル２０３の両外側の端子２０３Ａ，２０３Ｂ間に配置及び接続されている。
コネクタ用プラグ２０５，２０６付きの多芯ケーブル２０７において、同プラグ２０５とコネクタ用レセプタクル２０３が結合され、コネクタ用プラグ２０６とコネクタ用レセプタクル２０４が結合されるように組み合わされ、所定の結合状態で接続される。
多芯ケーブル２０７がプリント配線基板２０２又は、及び同２０３と所定の状態で結合されていない時、プリント配線基板２０２では直流電源ＶｃｃとＧＮＤ間に接続された発光ダイオード２１６に抵抗器Ｒを通して電流が流され発光ダイオードが点灯（発光）され非接続状態の不正常表示状態となる。
【００１０】
コネクタ用プラグ２０５、２０６付きの多芯ケーブル２０７がプリント配線基板２０１，２０２に取り付けられたコネクタ用レセプタクル２０３、２０４と所定の結合状態、即ち、各コネクタ端子及び線路が正常に接続されている時には、〔プリント配線基板２０２上のＶｃｃ⇒抵抗器Ｒ⇒コネクタ用プラグ２０６⇒多芯ケーブル２０７内一方の外側端の信号線２０８⇒コネクタ用プラグ２０５⇒プリント配線基板２０１に取り付けられたコネクタ用レセプタクル２０３の両外側の端子２０３Ａ，２０３Ｂ間に接続された短絡線２１７⇒コネクタ用プラグ２０５⇒多芯ケーブル２０７内他方の外側端の信号線２０９⇒コネクタ用プラグ２０６⇒コネクタ用レセプタクル２０４の他方の外側端子２０４Ａ⇒プリント配線基板２０２上のＧＮＤ〕へと接続される発光ダイオードを短絡するようなバイパス迂回電流が流され正常表示状態となる。
従って、各コネクタが所定の結合状態で接続されている状態では、多芯ケーブル２０７内の信号線対２０８、２０９と発光ダイオード２１６部分は並列に接続されているため、電流が多芯ケーブル２０７内の信号線対２０８、２０９を通り、発光ダイオード２１６側には、発光ダイオードを発光させるような電流が流れず消灯（発光せず）とされこれを正常接続状態の表示とする。
【００１１】
また、多芯ケーブル２０７のコネクタ用プラグ２０５，２０６とプリント配線基板２０２のコネクタ用レセプタクル２０３，２０４間の結合状態が悪いため端子間に接触不良が生じ、即ち、各線路が正常に接続されていない時には、ＶｃｃとＧＮＤ間に有する発光ダイオード２１６に固定抵抗器Ｒを介して電流が流され発光ダイオードが点灯（発光）され、これを不正接続状態のアラーム表示とする。
以上によって、発光ダイオードが点灯（コネクタ付き多芯ケーブルの非結合，結合不良での不正接続状態⇒アラーム表示機能）しているか、消灯（コネクタ付き多芯ケーブルの所定の結合での正常接続状態）しているかにより多芯ケーブルのコネクタ接続状態の良否の目視確認を可能にした接続状況確認回路である。
【産業上の利用可能性】
【００１２】
プリント配線基板間の接続を有した電子装置において、コネクタ付き多芯ケーブルのコネクタが所定の結合状態で接続されたことを的確に効率よく確認できるので、当該装置の製造段階での接続確認、据付調整時での接続確認、保守，整備時での接続確認等、電子機器の製造、サービスに利用できる。
【図面の簡単な説明】
【００１３】
【図１】本発明の接続状況確認回路の例を示す回路図である。
【図２】従来の接続状況確認回路の例を示す回路図である。
【符号の説明】
【００１４】
１０１，１０２，２０１，２０２  プリント配線基板
１０３，１０４，２０３，２０４  コネクタ用レセプタクル
１０３Ａ，１０３Ｂ，１０４Ａ，１０４Ｂ，２０３Ａ，２０３Ｂ，２０４Ａ，２０４Ｂ    端子
１０５，１０６，２０５，２０６  コネクタ用プラグ
１０７，２０７  多芯ケーブル
１０８，１０９，２０８，２０９  信号線
１１４  短絡用配線パターン
１１５  駆動回路
１１６，２１６  発光ダイオード
２１７  短絡線
【図１】
2005050698.tif 000003
【図２】
2005050698.tif 000004